(57)【要約】  【課題】  複数本のマイカ線を撤去することなく、高所での危険な作業を一切不要とし、効率的且つ簡単、迅速なパイプハウスへのハウスシートの張設作業を可能とする新規な構造のハウスシート揚上用補助具、およびそれを用いた新規なハウスシートの張設方法を提供する。  【解決手段】  パイプハウス７の棟近傍の全長に渡り、所定間隔置きに一対の跳ね揚げアーム３を取着した上、同一側の一方の跳ね揚げアームの各突端、および同一側の他方の跳ね揚げアームの各突端を、夫々操作用索条６で連繋し、それら操作用索条６が、マイカ線８全ての下方に位置するよう規制したハウスシート揚上用補助具である。【選択図】    図１
2005137243.tif 000002
【特許請求の範囲】
【請求項１】
パイプハウスの棟またはその近傍箇所で、棟方向全長に渡る略直線上の位置に相当することとなる要所要所のパイプフレーム個々に、所定間隔をおいて所定長さとした一対の跳ね揚げアームが共に棟方向に揺動自在となるようにして取着された上、それら一対の跳ね揚げアーム全てで同一側に位置する一方の跳ね揚げアームの各突端またはその近傍相互同士、および同一対の跳ね揚げアーム全てで同一側に位置する他方の跳ね揚げアームの各突端またはその近傍相互同士を、夫々操作用索条で連繋して棟方向全長に渡し掛けると共に、各々の両端を操作端部として垂れ下げ状に配する一方、パイプハウスの梁間方向に張り渡すマイカ線全てに対し、それら操作用索条が下方に位置するよう規制されてなるものとしたことを特徴とするハウスシート揚上用補助具。
【請求項２】
パイプハウスの棟またはその近傍箇所で、棟方向全長に渡る略直線上の位置に相当することとなる要所要所のパイプフレーム個々に、所定間隔をおいて所定長さとした一対の跳ね揚げアームが、夫々の基端を揺動軸を介して一体化され、共に棟方向に揺動自在となるようにして取着された上、それら一対の跳ね揚げアーム全てで同一側に位置する一方の跳ね揚げアームの各突端またはその近傍相互同士、および同一対の跳ね揚げアーム全てで同一側に位置する他方の跳ね揚げアームの各突端またはその近傍相互同士を、夫々操作用索条で連繋して棟方向全長に渡し掛けると共に、少なくとも何れか一側の両端を操作端部として垂れ下げ状に配する一方、パイプハウスの梁間方向に張り渡すマイカ線全てに対し、それら操作用索条が下方に位置するよう規制されてなるものとしたことを特徴とするハウスシート揚上用補助具。
【請求項３】
パイプハウスの棟またはその近傍箇所で、棟方向全長に渡る略直線上の位置に相当することとなる要所要所のパイプフレーム個々に、所定間隔をおいて所定長さとした一対の跳ね揚げアームが、夫々独立して棟方向に揺動自在となるように取着された上、それら一対の跳ね揚げアーム全てで同一側に位置する一方の跳ね揚げアームの各突端またはその近傍相互同士、および同一対の跳ね揚げアーム全てで同一側に位置する他方の跳ね揚げアームの各突端またはその近傍相互同士を、夫々操作用索条で連繋して棟方向全長に渡し掛けると共に、各々の両端を操作端部として垂れ下げ状に配する一方、パイプハウスの梁間方向に張り渡すマイカ線全てに対し、それら操作用索条が下方に位置するよう規制されてなるものとしたことを特徴とするハウスシート揚上用補助具。
【請求項４】
パイプハウスの棟またはその近傍箇所で、棟方向全長に渡る略直線上の位置に相当することとなる要所要所のパイプフレーム個々に、所定間隔をおいて所定長さとした一対の跳ね揚げアームが、夫々の基端を揺動軸を介して一体化され、共に棟方向に揺動自在となるようにして取着された上、それら一対の跳ね揚げアーム全てで同一側に位置する一方の跳ね揚げアームの各突端またはその近傍相互同士、および同一対の跳ね揚げアーム全てで同一側に位置する他方の跳ね揚げアームの各突端またはその近傍相互同士を、夫々操作用索条で連繋して棟方向全長に渡し掛け、パイプハウスの梁間方向に張り渡すマイカ線全てに対し、それら操作用索条が下方に位置するよう規制されたものとする一方、少なくとも何れか一対の跳ね揚げアームの適所に地上から遠隔操作可能な跳ね揚げ操作機構を設けてなるものとしたことを特徴とするハウスシート揚上用補助具。
【請求項５】
パイプハウスの棟またはその近傍箇所で、棟方向全長に渡る略直線上の位置に相当することとなる要所要所のパイプフレーム個々に、所定幅に設定した回転ローラを回転自在に挟んで配置され、所定長さとした一対の跳ね揚げアームが、共に棟方向に揺動自在となるようにして取着された上、それら一対の跳ね揚げアーム全てで同一側に位置する一方の跳ね揚げアームの各突端またはその近傍相互同士、および同一対の跳ね揚げアーム全てで同一側に位置する他方の跳ね揚げアームの各突端またはその近傍相互同士を、夫々操作用索条で連繋して棟方向全長に渡し掛け、パイプハウスの梁間方向に張り渡すマイカ線全てに対し、それら操作用索条が下方に位置するよう規制されたものとする一方、少なくとも何れか一対の跳ね揚げアームの適所に地上から遠隔操作可能な跳ね揚げ操作機構を設けてなるものとしたことを特徴とするハウスシート揚上用補助具。
【請求項６】
跳ね揚げ操作機構が、対をなした各跳ね揚げアームの中の同一側に位置する何れか一方の基端から、所定角度をもってか、あるいは同一軸心上かの何れかの姿勢に延伸された揺動操作杆を有し、各揺動操作杆の各先端またはその近傍相互同士を、夫々牽引用索条で連繋して棟方向の略全長に渡し掛けると共に、各々の両端を牽引端部として垂れ下げ状に配する一方、パイプハウスのパイプフレームに対し、該牽引用索条が内側に位置するよう規制されてなる、請求項４または５何れか一項記載のハウスシート揚上用補助具。
【請求項７】
パイプハウスの棟またはその近傍箇所で、棟方向全長に渡る略直線上の位置に相当することとなる要所要所のパイプフレーム個々に、所定間隔をおいて所定長さとした一対の跳ね揚げアームが共に棟方向に揺動自在となるようにして取着された上、それら一対の跳ね揚げアーム全てで同一側に位置する一方の跳ね揚げアームの各突端またはその近傍相互同士、および同一対の跳ね揚げアーム全てで同一側に位置する他方の跳ね揚げアームの各突端またはその近傍相互同士を、夫々操作用索条で連繋して棟方向全長に渡し掛けると共に、各々の両端を操作端部として垂れ下げ状に配する一方、パイプハウスの梁間方向に張り渡すマイカ線全てに対し、それら操作用索条が下方に位置するよう規制されてなる如く形成したハウスシート揚上用補助具を用いて、操作用索条が緩んだ状態では、各跳ね揚げアームの先端がパイプハウスの内側に配置されるよう横転状姿勢とし、ハウスシートの装着の際は、各マイカ線を緩め、棟方向の何れか一方に垂れ下げ状とした操作用索条を牽引操作して各跳ね揚げアームの先端を、パイプハウスよりも外側の所定高さに突出するよう跳ね揚げ、各操作用索条を各マイカ線諸共上昇させ、パイプハウス外側と各マイカ線との間に棟方向に連なるトンネル状の空間を形成し、その中を通じて展開容易とするよう折り畳まれたハウスシートを棟方向に揚送した後、操作用索条の牽引操作を解いて各跳ね揚げアームを横転状姿勢に復帰させ、ハウスシートをパイプハウス外側に展開、張設してからマイカ線を緊張するものとしてなる、請求項１ないし３何れか一項記載のハウスシート揚上用補助具を用いたハウスシートの張設方法。
【請求項８】
パイプハウスの棟またはその近傍箇所で、棟方向全長に渡る略直線上の位置に相当することとなる要所要所のパイプフレーム個々に、所定間隔をおいて所定長さとした一対の跳ね揚げアームが、夫々の基端を揺動軸を介して一体化され、共に棟方向に揺動自在となるようにして取着された上、それら一対の跳ね揚げアーム全てで同一側に位置する一方の跳ね揚げアームの各突端またはその近傍相互同士、および同一対の跳ね揚げアーム全てで同一側に位置する他方の跳ね揚げアームの各突端またはその近傍相互同士を、夫々操作用索条で連繋して棟方向全長に渡し掛け、パイプハウスの梁間方向に張り渡すマイカ線全てに対し、それら操作用索条が下方に位置するよう規制されたものとする一方、少なくとも何れか一対の跳ね揚げアームの適所に地上から遠隔操作可能な跳ね揚げ操作機構を設けて形成したハウスシート揚上用補助具を用いて、跳ね揚げ操作機構を操作しない状態では、各跳ね揚げアームの先端がパイプハウスの内側に配置されるよう横転状姿勢とし、ハウスシートの装着の際は、各マイカ線を緩め、跳ね揚げ操作機構を地上付近で遠隔操作して各跳ね揚げアームの先端を、パイプハウスよりも外側の所定高さに突出するよう跳ね揚げ、各操作用索条を各マイカ線諸共上昇させ、パイプハウス外側と各マイカ線との間に棟方向に連なるトンネル状の空間を形成し、その中を通じて展開容易とするよう折り畳まれたハウスシートを棟方向に揚送した後、跳ね揚げ操作機構の操作を解いて各跳ね揚げアームを横転状姿勢に復帰させ、ハウスシートをパイプハウス外側に展開、張設してからマイカ線を緊張するものとしてなる、請求項４ないし６何れか一項記載のハウスシート揚上用補助具を用いたハウスシートの張設方法。                                                              
【発明の詳細な説明】
【技術分野】
【０００１】
この発明は、ビニルハウスに関連するあらゆる分野をその技術分野とするものであって、ビニルハウスおよびそれに関連する部品類等を製造する分野は勿論のこと、その製造に必要とする設備、器具類を提供、販売する分野から、それら資材や機械装置、部品類に必要となる素材、例えば、木材、石材、各種繊維類、プラスチック、各種金属材料等を提供する分野、それらに組み込まれる電子部品やそれらを集積した制御関連機器の分野、各種計測器の分野、当該設備、器具を動かす動力機械の分野、そのエネルギーとなる電力やエネルギー源である電気、オイルの分野といった一般的に産業機械と総称されている分野、更には、それら設備、器具類を試験、研究したり、それらの展示、販売、輸出入に係わる分野、将又、それらの使用の結果やそれを造るための設備、器具類の運転に伴って発生するゴミ屑の回収、運搬等に係わる分野、それらゴミ屑を効率的に再利用するリサイクル分野、その他現時点で想定できない新たな分野までと、関連しない技術分野はない程である。                                                                                      
【背景技術】
【０００２】
（視  点）
我が国は、南北に細長い国土を有し、その地形も内陸や内海、島、山地、平地、盆地、傾斜地等のように複雑である上、周囲を海に囲まれ、各種の海流や、夏季に勢力を強める太平洋高気圧、および冬季にシベリアから張り出す寒気団等の影響を強く受ける等、各地で気象条件が大きく異なるという独特の気候風土を有しており、そうした厳しい自然環境を克服して安定した農業を維持するため、その土地々々に応じた様々な栽培形態が発達してきているが、太陽エネルギーを有効利用するようにした簡易施設としてのビニルハウスも、そうした目的で創出された物の一例といえる。
【０００３】
このビニルハウスは、作物を適温に保つと共に、風雨の影響から作物を守り、灌水、施肥管理、病虫害対策等、栽培期間中の作物の育成、管理に有利である上、年間を通じ、同じ作物を栽培する周年栽培を実現することができる等、露地栽培に比較して有利な点が多く、しかも簡易な施設であって経済的な負担も少なくて済み、導入し易いという特徴も手伝って、広い農地を有さず、四季を通じて大きく気候を変化させる自然環境の中で、良質な農作物を安定生産したいとする我が国の農業事情にうまく適合したことから、トンネル栽培用の小型のものをはじめ、花卉類や野菜類栽培用の中形のもの、そしてサクランボ等果樹栽培用の大型のもの等、様々な用途、サイズのものとして全国的に広く普及、利用され、施設型農業の隆盛を見るに至っている。
【０００４】
このように広く普及しているビニルハウス、特に中型、大型のビニルハウスは、一般的に，その多くが複数本のパイプフレームを、棟方向に所定間隔を隔てるようにして配置させ、丸屋根式、片屋根式、両屋根式、または二重勾配式等のパイプハウスを形成し、その外側表面に塩化ビニル等のプラスチックシートを張設した構造となっているが、この構造において欠かせないハウスシート（ビニルシート）は、単年または数年に渡って使用している中に、風雨や日光および寒暖の差を繰り返し受け、次第に劣化して透光性が低下し、太陽光の取り込みを充分に行えなくなる上、弾力を失って強風や降雨、雹、積雪等の外力によって容易に破けてしまうという事態を招来してしまうといった不都合がある外、桜桃を栽培する農家にあっては、梅雨期が桜桃果実の成熟期に重なることに起因する裂果の発生を防止するために、同時季には高所におけるハウスシートの張着作業が不可欠となり、また、降雪地帯等では、農閑期となる冬期間の雪害や風害等から施設を守らなければならないという切実な問題があり、必要に応じてその都度パイプハウスから取り外し、再び張設し直す等の危険な高所での作業が必ず伴うことになる。
【０００５】
（従来の技術）
ところが、このパイプハウスに対するハウスシートの張設作業は、その目的上、ハウスシートがシームレスの大幅で長尺のものでなければならず、しかもそれ程頑丈ではないパイプフレームの最も高いところから左右に振り分けて棟方向全体に添設状としなければならないことから、作業が極めて大掛かりな上、かなり煩雑且つ危険性を伴うものとなるため、ビニルハウスを導入して施設型農業を営む農家にとって大きな作業負担を強いられることとなっており、こうした負担を少しでも軽減しようと、これまでにも、例えば特開平７−２８９０９２号公報に開示された熊本県発明「ハウスのシート張設装置」のように、ハウスの長手方向に配設した移動案内部に沿って、シート案内部を移動可能に設け、該シート案内部にシートの先端部を係止し、屋根面に沿って自動的に移動させながらシートを張掛けできるよう構成してなるものや、特開平８−２１４７１０号公報の早川発明「ビニルハウスにおける屋根シート展張方法及び屋根シート展張用補助具」に示された、ハウス骨格の屋根上に、棟方向に移動可能な走行部を有する補助具と、屋根のアーチ形状に沿って棟と略直交するシート載置架台とを備え、ジグザグ状に折り畳まれたシートを、該シート載置架台上に搭載し、走行部を棟方向に移動させながら、シートを展開状に張設してゆくようにしたもの等によって代表されるような、ビニルハウスを設営するための各種技術についての開発、提案がなされている。                                                                                
【特許文献１】（１）特開平７−２８９０９２号公報    （２）特開平８−２１４７１０号公報
【発明の開示】
【発明が解決しようとする課題】
【０００６】
（問題意識）
しかしながら、このような従前からのシート張架設装置や屋根シート展張用補助具等は、その施設が比較的大型を対象としていて、設置に際して大掛かりな取付け工事と、それに伴って発生する多額の費用とを要する上、ビニルハウス設営後の撤去作業にも多くの労力を費やさざるを得ないものであり、その上、ビニルハウスに張設したシートを外側から抑え込むために、棟方向所定間隔置きであって、骨格体梁間方向全体に掛け渡されている多数本のマイカ線が張られたままでのハウスシートの張設作業が不可能であり、ハウスシートを張り替える際には、全てのマイカ線を一度撤去してしまい、ハウスシートを張設した後に、再び全てのマイカ線を掛け直す必要があり、今度はハウスの屋根に多数本のマイカ線を掛け渡す作業のために多くの時間と手間とを費やさざるを得なくなる上、その間にも荒天で強風や風雨雪等が吹き付けられるとシートがバタつき、シート張設紐を掛け渡す作業が非常に困難なものとなってしまう等、張り替え作業の負担を簡単に軽減することができるものではなかった。
【０００７】
（発明の目的）
この発明は、以上のような状況に鑑み、複数本のマイカ線を撤去することなく、高所での危険な作業を一切不要とし、効率的且つ簡単。迅速なパイプハウスへのハウスシートの張設作業を可能とすることはできないものかとの判断から、逸速くその開発、研究に着手し、長期に渡る試行錯誤と幾多の試作、実験とを繰り返してきた結果、今回、遂に新規な構造のハウスシート揚上用補助具、およびそれらを用いた新規なハウスシートの張設方法を実現化することに成功したものであり、以下では、図面に示すこの発明を代表する実施例と共に、その構成を詳述することとする。                                                                              
【課題を解決するための手段】
【０００８】
（発明の構成）
図面に示すこの発明を代表する実施例からも明確に理解されるように、この発明に包含されるハウスシート揚上用補助具は、基本的に次のような構成から成り立っている。
即ち、パイプハウスの棟またはその近傍箇所で、棟方向全長に渡る略直線上の位置に相当することとなる要所要所のパイプフレーム個々に、所定間隔をおいて所定長さとした一対の跳ね揚げアームが共に棟方向に揺動自在となるようにして取着された上、それら一対の跳ね揚げアーム全てで同一側に位置する一方の跳ね揚げアームの各突端またはその近傍相互同士、および同一対の跳ね揚げアーム全てで同一側に位置する他方の跳ね揚げアームの各突端またはその近傍相互同士を、夫々操作用索条で連繋して棟方向全長に渡し掛けると共に、各々の両端を操作端部として垂れ下げ状に配する一方、パイプハウスの梁間方向に張り渡すマイカ線全てに対し、それら操作用索条が下方に位置するよう規制されてなるものとした構成を要旨とするハウスシート揚上用補助具である。
【０００９】
この発明のハウスシート揚上用補助具を、より具体的に示すと、パイプハウスの棟またはその近傍箇所で、棟方向全長に渡る略直線上の位置に相当することとなる要所要所のパイプフレーム個々に、所定間隔をおいて所定長さとした一対の跳ね揚げアームが、夫々の基端を揺動軸を介して一体化され、共に棟方向に揺動自在となるようにして取着された上、それら一対の跳ね揚げアーム全てで同一側に位置する一方の跳ね揚げアームの各突端またはその近傍相互同士、および同一対の跳ね揚げアーム全てで同一側に位置する他方の跳ね揚げアームの各突端またはその近傍相互同士を、夫々操作用索条で連繋して棟方向全長に渡し掛けると共に、少なくとも何れか一側の両端を操作端部として垂れ下げ状に配する一方、パイプハウスの梁間方向に張り渡すマイカ線全てに対し、それら操作用索条が下方に位置するよう規制されてなるものとしたハウスシート揚上用補助具であるということができる。
【００１０】
また同様に、パイプハウスの棟またはその近傍箇所で、棟方向全長に渡る略直線上の位置に相当することとなる要所要所のパイプフレーム個々に、所定間隔をおいて所定長さとした一対の跳ね揚げアームが、夫々独立して棟方向に揺動自在となるように取着された上、それら一対の跳ね揚げアーム全てで同一側に位置する一方の跳ね揚げアームの各突端またはその近傍相互同士、および同一対の跳ね揚げアーム全てで同一側に位置する他方の跳ね揚げアームの各突端またはその近傍相互同士を、夫々操作用索条で連繋して棟方向全長に渡し掛けると共に、各々の両端を操作端部として垂れ下げ状に配する一方、パイプハウスの梁間方向に張り渡すマイカ線全てに対し、それら操作用索条が下方に位置するよう規制されてなるものとしたハウスシート揚上用補助具も、前記この発明の基本的な構成からなるハウスシート揚上用補助具に含まれる。
【００１１】
また、更に具体的な構成によるパイプハウスの棟またはその近傍箇所で、棟方向全長に渡る略直線上の位置に相当することとなる要所要所のパイプフレーム個々に、所定間隔をおいて所定長さとした一対の跳ね揚げアームが、夫々の基端を揺動軸を介して一体化され、共に棟方向に揺動自在となるようにして取着された上、それら一対の跳ね揚げアーム全てで同一側に位置する一方の跳ね揚げアームの各突端またはその近傍相互同士、および同一対の跳ね揚げアーム全てで同一側に位置する他方の跳ね揚げアームの各突端またはその近傍相互同士を、夫々操作用索条で連繋して棟方向全長に渡し掛け、パイプハウスの梁間方向に張り渡すマイカ線全てに対し、それら操作用索条が下方に位置するよう規制されたものとする一方、少なくとも何れか一対の跳ね揚げアームの適所に地上から遠隔操作可能な跳ね揚げ操作機構を設けてなるものとしたハウスシート揚上用補助具も同様に包含している。
【００１２】
更には、パイプハウスの棟またはその近傍箇所で、棟方向全長に渡る略直線上の位置に相当することとなる要所要所のパイプフレーム個々に、所定幅に設定した回転ローラを回転自在に挟んで配置され、所定長さとした一対の跳ね揚げアームが、共に棟方向に揺動自在となるようにして取着された上、それら一対の跳ね揚げアーム全てで同一側に位置する一方の跳ね揚げアームの各突端またはその近傍相互同士、および同一対の跳ね揚げアーム全てで同一側に位置する他方の跳ね揚げアームの各突端またはその近傍相互同士を、夫々操作用索条で連繋して棟方向全長に渡し掛け、パイプハウスの梁間方向に張り渡すマイカ線全てに対し、それら操作用索条が下方に位置するよう規制されたものとする一方、少なくとも何れか一対の跳ね揚げアームの適所に地上から遠隔操作可能な跳ね揚げ操作機構を設けてなるものとした構成のハウスシート揚上用補助具を含んでいる。
【００１３】
（関連する発明）
上記した、ハウスシート揚上用補助具に関連し、この発明には、それを用いたハウスシートの張設方法も包含しており、それは、以下のような構成からなりたっている。
即ち、パイプハウスの棟またはその近傍箇所で、棟方向全長に渡る略直線上の位置に相当することとなる要所要所のパイプフレーム個々に、所定間隔をおいて所定長さとした一対の跳ね揚げアームが共に棟方向に揺動自在となるようにして取着された上、それら一対の跳ね揚げアーム全てで同一側に位置する一方の跳ね揚げアームの各突端またはその近傍相互同士、および同一対の跳ね揚げアーム全てで同一側に位置する他方の跳ね揚げアームの各突端またはその近傍相互同士を、夫々操作用索条で連繋して棟方向全長に渡し掛けると共に、各々の両端を操作端部として垂れ下げ状に配する一方、パイプハウスの梁間方向に張り渡すマイカ線全てに対し、それら操作用索条が下方に位置するよう規制されてなる如く形成したハウスシート揚上用補助具を用いて、操作用索条が緩んだ状態では、各跳ね揚げアームの先端がパイプハウスの内側に配置されるよう横転状姿勢とし、ハウスシートの装着の際は、各マイカ線を緩め、棟方向の何れか一方に垂れ下げ状とした操作用索条を牽引操作して各跳ね揚げアームの先端を、パイプハウスよりも外側の所定高さに突出するよう跳ね揚げ、各操作用索条を各マイカ線諸共上昇させ、パイプハウス外側と各マイカ線との間に棟方向に連なるトンネル状の空間を形成し、その中を通じて展開容易とするよう折り畳まれたハウスシートを棟方向に揚送した後、操作用索条の牽引操作を解いて各跳ね揚げアームを横転状姿勢に復帰させ、ハウスシートをパイプハウス外側に展開、張設してからマイカ線を緊張するものとしてなる、前記何れかに記載のハウスシート揚上用補助具を用いたハウスシートの張設方法である。
【００１４】
それは、より具体的な表現によると、パイプハウスの棟またはその近傍箇所で、棟方向全長に渡る略直線上の位置に相当することとなる要所要所のパイプフレーム個々に、所定間隔をおいて所定長さとした一対の跳ね揚げアームが、夫々の基端を揺動軸を介して一体化され、共に棟方向に揺動自在となるようにして取着された上、それら一対の跳ね揚げアーム全てで同一側に位置する一方の跳ね揚げアームの各突端またはその近傍相互同士、および同一対の跳ね揚げアーム全てで同一側に位置する他方の跳ね揚げアームの各突端またはその近傍相互同士を、夫々操作用索条で連繋して棟方向全長に渡し掛け、パイプハウスの梁間方向に張り渡すマイカ線全てに対し、それら操作用索条が下方に位置するよう規制されたものとする一方、少なくとも何れか一対の跳ね揚げアームの適所に地上から遠隔操作可能な跳ね揚げ操作機構を設けて形成したハウスシート揚上用補助具を用いて、跳ね揚げ操作機構を操作しない状態では、各跳ね揚げアームの先端がパイプハウスの内側に配置されるよう横転状姿勢とし、ハウスシートの装着の際は、各マイカ線を緩め、跳ね揚げ操作機構を地上付近で遠隔操作して各跳ね揚げアームの先端を、パイプハウスよりも外側の所定高さに突出するよう跳ね揚げ、各操作用索条を各マイカ線諸共上昇させ、パイプハウス外側と各マイカ線との間に棟方向に連なるトンネル状の空間を形成し、その中を通じて展開容易とするよう折り畳まれたハウスシートを棟方向に揚送した後、跳ね揚げ操作機構の操作を解いて各跳ね揚げアームを横転状姿勢に復帰させ、ハウスシートをパイプハウス外側に展開、張設してからマイカ線を緊張するものとしてなる、前記何れかに記載のハウスシート揚上用補助具を用いたハウスシートの張設方法ということができる。                                  
【発明の効果】
【００１５】
以上のとおり、この発明のハウスシート揚上用補助具によれば、何よりも先ず、パイプハウスを設営する際に一旦、ハウスシート揚上用補助具を設置してしまえば、それ以降にハウスシートを張設する際には、一切の作業を地上から行うことが可能となり、従前までのように、度々パイプハウスに登り不安定な高所で重量の嵩むハウスシートを引き上げ、移動させながらパイプハウス上にハウスシートを張り着けなければならないという危険な作業を全く不要としてしまうことができる上、パイプハウスに掛け渡された複数本のマイカ線を撤去する必要も無いので、例え小人数であっても、効率的且つ簡単、迅速にハウスシートの張設作業を行うことができるようになるという秀れた特徴が得られるものである。
【００１６】
また、この発明のハウスシートの張設方法によれば、パイプハウスの棟方向に配置された複数対の跳ね揚げアーム間に形成されたトンネル状の空間に、展開容易に折り畳まれたハウスシートを通過させるようにして移動させるので、展開させた状態のハウスシートを引き上げてそのまま張着する従来型の作業に比較して、揚上作業中にハウスシートを傷付けたり、破損してしまうことを確実に防止できるものとなり、しかも移動装着中の摩擦抵抗を最低限に抑えることができるので、従前までであれば、巻上げ機械やトラクタまたはトラック車両等による牽引作業を必要とするような大型のビニルハウスにも小人数によるハウスシートの揚上作業が可能となり、ハウスシートの張設作業の安全性を高め、簡便且つ効率的に作業を進めることができる上、ハウスシートをマイカ線の下側に張設するので荒天下であっても捲れ上がりやバタつきを防いで迅速に張設作業を行うことができるという大きな効果を発揮するものである。                                                                        
【発明を実施するための最良の形態】
【００１７】
上記したとおりの構成からなるこの発明の実施に際し、その最良もしくは望ましい形態について説明を加えることにする。
跳ね揚げアームは、地上付近からの遠隔操作を受けることにより、突端またはその近傍に連繋された操作用索条諸共、パイプハウスの梁間方向に張り渡された各マイカ線を棟付近の所定高さまで上昇させ、個々のパイプフレームと各マイカ線との間に、展開容易とするよう折り畳まれたハウスシートを棟方向に渡り、揚送可能とするトンネル状の空間を形成可能とする機能を果たすものであり、梁間方向に折り畳まれたハウスシートを通過可能とする程度の所定間隔を隔てて配置された一対を一組とし、夫々が折り畳まれたハウスシートを通過可能な程度の長さ（跳ね揚げ高さ）寸法に設定された上、パイプフレームと同一高さか、あるいはパイプフレームよりもパイプハウス内側となる位置まで横転状に折り畳み可能な構造としなければならず、対をなす双方が、互いに一体に形成されたものとすることができる他、各々を別体に形成したものとすることも可能であり、更に、対をなす相互間に折り畳まれたハウスシートの棟方向への移動を容易にする回転ローラを配したものとすることができる。
【００１８】
操作用索条は、対をなした跳ね揚げアームの同一側に配置された一方および他方の各突端またはその近傍相互同士を実質的に連繋するものとなり、各跳ね揚げアームの跳ね揚げ操作に連動してパイプフレーム個々の外側であって梁間方向に張り渡された各マイカ線に、下側から交叉状に係合して上昇させる機能を果たすものであり、隣接状に配置された同一側の跳ね揚げアーム同士を互いに連繋する構造としなければならず、隣接する跳ね揚げアーム間の掛け渡し範囲毎を、個別の索条で連繋するものとすることができる外、パイプハウスの棟方向に渡る略全長に渡り、一本あるいは適宜複数本で連繋するものとすることが可能であり、更に、パイプハウスの棟方向端から操作端部を垂れ下げ状に延伸したものとすることができ、また、柔軟性のあるワイヤロープの外、合成樹脂製の紐や、マイカ線のような細帯状のもの、もしくは比較的硬質で容易に変形しない細い金属棒製の連結杆等を置き換えて用いることも可能である。
【００１９】
操作用索条の操作端部は、地上に居る作業者が遠隔操作することにより、パイプハウスのパイプフレーム上側に配置された操作用索条を棟方向に向けて牽引操作可能とする機能を果たすものであり、作業者の手が比較的容易に届く高さ位置に達するものとしなければならず、中途箇所に滑車や、巻取り機あるいは梃を利用した操作レバー機構等を設けることが可能であり、必要に応じて牽引状態を維持する仮固定機構等を併設して各跳ね揚げアームの跳ね上がり姿勢を、仮留めしてその間に、ハウスシートの揚送作業に専念できるものとすることができる。
【００２０】
跳ね揚げ操作機構は、地上付近に居る作業者が、パイプハウスのパイプフレーム上側に配置された各跳ね揚げアームを、遠隔操作することによって適宜揺動操作することを可能とする機能を果たすものであり、作業者がパイプハウス上に登らなくとも、遠隔操作によって比較的容易に操作可能な構造としなければならず、例えば、何れか一対の跳ね揚げアームの基端に電動モータを設け、作業員が同電動モータを正転するよう遠隔操作することにより、これに連動した各跳ね揚げアームを鉛直状に立ち上げ操作し、また、逆転するよう遠隔操作することによって各跳ね揚げアームを横転状に折り畳み可能とする構造としたり、あるいは、対をなした各跳ね揚げアームの中の同一側に位置する何れか一方の基端から、所定角度をもってか、あるいは同一軸心上かの何れかの姿勢に延伸された揺動操作杆を有し、各揺動操作杆の各先端またはその近傍相互同士を、夫々牽引用索条で連繋して棟方向の略全長に渡し掛けると共に、各々の両端を牽引端部として垂れ下げ状に配する一方、パイプハウスのパイプフレームに対し、該牽引用索条が内側に位置するよう規制されてなるものとすることができる。
【００２１】
この発明のハウスシートの張設方法は、各跳ね揚げアームを所定高さに跳ね上げ、夫々の操作用索条によって各マイカ線を上昇させたことにより、棟方向に沿って形成されたトンネル状の空間を通じて折り畳まれたハウスシートを誘導、揚上するものとしなければならないが、揚上移動されるハウスシート下面を、棟方向に沿って点在する複数の回転ローラが支持するものとして移動の際の摩擦抵抗を軽減するようにすることができる外、回転ローラに電動モータや伝動ベルト等の駆動機構を設ける等してハウスシートの移送作業をより軽快なものとすることが可能であり、更に跳ね揚げアームの中途外周部分に転動パイプを同心状に装着し、ハウスシートとの接触抵抗を軽減したり、あるいは、突端側を漸次外側に向けて拡開させた形状としたことにより、ハウスシートの通過空間を拡大し、ハウスシートの揚上作業性を一段と向上させることも可能である。
以下では、図面に示すこの発明を代表する実施例と共に、その構造について詳述することとする。                                                                                                        
【実施例】
【００２２】
図１のハウスシート揚上用補助具の斜視図、図２の分解された跳ね揚げアームの斜視図、図３の跳ね揚げアームの斜視図、図４の跳ね揚げアーム先端の断面図に示される事例は、パイプハウス７の棟またはその近傍箇所で、棟方向全長に渡る略直線上の位置に相当するパイプフレーム７１に、所定間隔をおいて所定長さとした一対の跳ね揚げアーム３，３が共に棟方向に揺動自在となるように取着された上、それら一対の跳ね揚げアーム３，３，……全てで同一側に位置する一方の跳ね揚げアーム３，３，……の各突端近傍相互同士、および同一対の跳ね揚げアーム３，３，……全てで同一側に位置する他方の跳ね揚げアーム３，３，……の各突端近傍相互同士を、夫々操作用索条６，６で連繋して棟方向全長に渡し掛けると共に、パイプハウス７の梁間方向に張り渡すマイカ線８，８，……全てに対し、それら操作用索条６，６が下方に位置するよう規制されてなるものとしたこの発明に包含されるハウスシート揚上用補助具における代表的な一実施例を示すものである。
【００２３】
当該ハウスシート揚上用補助具は、複数個の同一構造からなる揚上用補助金具１，１，……から形成されており、揚上用補助金具１は、左右に軸受け溝１２，１２を形成し、中央下部にクランプからなる緊結金具１３が設けられたフレーム１１を有し、各軸受け溝１２，１２間には、中途箇所に所定幅の回転ローラ２１が、同心状に回転自在となるよう装着された揺動軸２が、その両端に形成された軸着溝２２，２２を掛け渡し、各軸着溝２２，２２を軸抑え金具１４，１４によって脱落不能に抱持されたものとなり、揺動軸２の一方端は、軸着溝２２を越えて所定長さに延伸された上、その根元付近から折曲され、一方の跳ね揚げアーム３が形成され、揺動軸２の他方端には、一本の棒状体からなり、同一寸法の他方の跳ね揚げアーム３と、その基端から連続するよう延伸された揺動操作杆４１とを形成した屈曲棒状素材を、その跳ね揚げアーム３および揺動操作杆４１の基端に該当する中途付近で熔接することにより、一体化されたものとなっており、フレーム１１の回転ローラ２１の背後側には、ハウスシート７２の巻き込みを防止する案内板部１５が形成されていると共に、該他方の跳ね揚げアーム３を起立状の姿勢とした際に、その背面側となるフレーム１１には、ストッパ片１６が一体に形成されたものとなっている。
【００２４】
各跳ね揚げアーム３，３および揺動操作杆４１の各突端には、操作用索条６，６あるいは牽引用索条４２の中途箇所を連繋可能とする仮留め機構５が設けられており、その構造は、図４中に示すように、各突端に同心条のネジ孔５１を穿孔すると共に、その突端寄りとなる中途箇所に、操作用索条６，６あるいは牽引用索条４２が通過可能な連繋孔５２を貫通させ、更に該ネジ孔５１に、二個の六角穴付き止めネジ５３，５３を螺着し、これら二個の六角穴付き止めネジ５３，５３間に装着された操作用索条６，６あるいは牽引用索条４２の中途箇所を挟み込み、仮留め可能な構造としたものとなっている。
【００２５】
（実施例の作用）
この発明のハウスシート揚上用補助具は、以上のとおりの構成からなる複数個の揚上用補助金具１，１，……を用いることにより、この発明に包含されるハウスシートの張設方法を実施するのに好都合なものとなる。
各揚上用補助金具１，１，……を、図１および図５のパイプハウスに装着されたハウスシート揚上用補助具の側面図に示すように、パイプハウス７の棟となっているパイプフレーム７１に沿って適宜間隔置きとなる位置に、各揺動軸２（回転ローラ２１）の軸心を梁間方向に向けるよう、略同一の向きおよび姿勢として各緊結金具１３，１３，……を締め付け固着状とした上、同一側に配置された一方の各跳ね揚げアーム３，３，……の仮留め機構５，５，……に、操作用索条６を装着、仮留めして連繋させ、その両端をパイプハウス７の棟方向端から垂れ下がり状とし、また、同様に同一側に配置された他方の各跳ね揚げアーム３，３，……の仮留め機構５，５，……にも、操作用索条６を連繋させてその両端を夫々垂れ下げ状とし、更にまた、各揺動操作杆４１，４１，……の各仮留め機構５，５，……に牽引用索条４２を装着、仮留めすることによって連繋させ、その両端を垂れ下げ状とすることにより、パイプハウス７上にハウスシート揚上用補助具が形成される。
【００２６】
このようにして形成されたハウスシート揚上用補助具を利用することにより、以下のようなハウスシート７２の張設作業が可能となる。
各マイカ線８，８，……の一方端もしくは両端を、図１および図５中に示すように緩め、牽引用索条４２の各跳ね揚げアーム３，３，……を立上げ状に揺動させる側の垂れ下がり状となっている一方端を、図６の揺動操作したハウスシート揚上用補助具の側面図に示すように、作業者が下方向に向けて牽引操作することにより、各揺動操作杆４１，４１，……を揺動操作し、これらに一体に設けられた各跳ね揚げアーム３，３，……が、棟を形成するパイプフレーム７１に対して略鉛直状に立ち上がり、更に、各突端間を連繋して所定間隔を隔てて平行する二本の操作用索条６，６を、各跳ね揚げアーム３，３，……の跳ね揚げ方向に牽引し、緊張状とすることにより、梁間方向に張り渡されたマイカ線８，８，……に交叉状に係合して所定高さまで上昇させ、各回転ローラ２１，２１，……と跳ね上げアーム３，３，……および操作用索条６，６によって上昇されたマイカ線８，８，……との間に矩形筒型のトンネル状空間を形成し、牽引用索条４２および二本の操作用索条６，６の牽引操作状態を維持したまま、図７のハウスシートを揚上するハウスシート揚上用補助具の側面図に示すように、展開容易とするように梁間方向の双方から棟側に向けてロール状に折り畳まれたハウスシート７２の棟方向端を、ワイヤロープ等を用いて牽引することにより、該トンネル状空間の棟方向一方端側から、他方端へ向けて揚上、送り移動させ、その際に、各回転ローラ２１，２１，……が、ハウスシート７２の移動抵抗を軽減するものとなり、パイプハウス７棟方向の全長に渡り、ハウスシート７２を配置させた後に、牽引用索条４２への牽引力を解除して、図５中に示すように、各跳ね揚げアーム３，３，……を横転状に折り畳んだ上、ハウスシート７２を梁間方向に展開させてパイプハウス７の略全体を覆うようにしてから、各マイカ線８，８，……を締め付け、ハウスシート７２が、パイプフレーム７１，７１，……の外側に、皺や弛み等を生じないように、張設することが可能となる。
【００２７】
（実施例の効果）
以上のような構成からなる実施例のハウスシート揚上用補助具は、前記この発明の効果の項で記載の特徴に加え、一対の跳ね揚げアーム３，３を揺動軸２で一体に連結すると共に、揺動操作杆４１を設け、パイプハウス７の棟方向に沿って複数配置された各揚上用補助金具１，１，……の揺動操作杆４１，４１，……に牽引用索条４２を連繋したことにより、該牽引用索条４２を地上で牽引操作することにより、棟方向に配置された全ての跳ね揚げアーム３，３，……を一斉に立ち上げ操作できるものとなり、しかも同牽引用索条４２を牽引した状態で仮り固定してしまうと、全ての跳ね揚げアーム３，３，……の立上げ状態が維持されるものとなり、より簡便且つ確実な操作を実現可能とするものとなる。
【００２８】
また、各跳ね揚げアーム３，３，……を立ち上げる方向に牽引用索条４２を牽引操作すると共に、各跳ね揚げアーム３，３，……の各突端を連繋する操作用索条６，６も、跳ね揚げアーム３，３，……の立ち上げ方向に牽引操作することにより一層、確実に各跳ね揚げアーム３，３，……の跳ね揚げ姿勢を確保することができるものとなり、更に、各揺動軸２，２，……に回転ローラ２１，２１，……を設けることにより、ハウスシート７２の移送抵抗を大幅に低減することができるものとなる。
【００２９】
（結  び）
叙述の如く、この発明のハウスシート揚上用補助具、およびそれを用いたハウスシートの張設方法は、その新規な構成によって所期の目的を遍く達成可能とするものであり、比較的簡素な構造によって小型、軽量な上、製造も容易で、従前のシート展張用具等に比較して遥かに経済的なものとして提供することができ、しかも一度装着してしまえば、その後の度重なるハウスシートの張設作業や張り替え作業の際毎の、パイプハウス上という高所での危険な作業が一切不要となり、小人数であっても簡便且つ迅速ん作業性と秀れた安全性とを確保できると共に、作業者への労働負担を軽減することができ、作業効率を格段に向上させることができるようになることから、施設型農業を営む農家にとっては勿論のこと、関連農機具業界等からも高い評価がなされ、広範に渡って利用、普及していくものになると予想される。                                                                                                    
【図面の簡単な説明】
【００３０】
図面は、この発明のハウスシート揚上用補助具、およびそれを用いたハウスシートの張設方法の技術的思想を具現化した代表的な実施例を示すものである。
【図１】ハウスシート揚上用補助具を示す斜視図である。
【図２】分解された跳ね揚げアームを示す斜視図である。
【図３】跳ね揚げアームを示す斜視図である。
【図４】跳ね揚げアームの突端部分を示す断面図である。
【図５】ハウスシート揚上用補助具を示す側面図である。
【図６】ハウスシート揚上用補助具の操作状態を示す側面図である。
【図７】ハウスシートを揚上する揚上用補助具を示す側面図である。
【符号の説明】
【００３１】
１      揚上用補助金具
１１    同  フレーム
１２    同  軸受け溝
１３    同  緊結金具
１４    同  軸抑え金具
１５    同  案内板部
１６    同  ストッパ片
２      揺動軸
２１    同  回転ローラ
２２    同  軸着溝
３      跳ね揚げアーム
４      跳ね揚げ操作機構
４１    同  揺動操作杆
４２    同  牽引用索条
５      仮留め機構
５１    同  ネジ孔
５２    同  連繋孔
６      操作用索条
７      パイプハウス
７１    同  パイプフレーム
７２    同  ハウスシート
８      マイカ線
【図１】
2005137243.tif 000003
【図２】
2005137243.tif 000004
【図３】
2005137243.tif 000005
【図４】
2005137243.tif 000006
【図５】
2005137243.tif 000007
【図６】
2005137243.tif 000008
【図７】
2005137243.tif 000009